(57)【要約】【課題】既存の店舗施設を増築や改築しなくても低いコストで設置可能なペット用トリミングハウスを提供すること。【解決手段】ペット用トリミングハウス１０は、ペット及び人を収容可能な金属製のコンテナ（容器）１１を備え、コンテナ１１が、エントランス１２と、トリミング室（第一の部屋）１３と、ジャグジー室（第二の部屋）１５と、ドッグバス室１６と、を備えている。コンテナ１１は、貨物輸送に用いる直方体形状に規格化されて上下に積層可能な構造に形成されている。このコンテナ１１には、ペット及び人の出入りを許容する開口部１１ａが配され、この開口部１１ａに出入口戸１７が配されている。この出入口戸１７の内側にエントランス１２が配されている。【選択図】図２
0003193023.tif 000002
【実用新案登録請求の範囲】
【請求項１】
ペット及び人の出入りを許容する開口部が配された容器を備え、
該容器内に、ペットの美容のために被毛を整える第一の部屋と、
気流を含んだ噴流を吐出する噴出口が設けられたペット用の浴槽が配される第二の部屋と、
が配されていることを特徴とするペット用トリミングハウス。
【請求項２】
前記開口部から離間して前記第一の部屋の出入口に配されてペットの出入りを規制する戸を備えていることを特徴とする請求項１に記載のペット用トリミングハウス。
【請求項３】
前記容器の荷重を該容器の下部から支持し、地盤に伝える基礎構造物を備えていることを特徴とする請求項１又は２に記載のペット用トリミングハウス。
【請求項４】
前記容器が、上下に積層可能な構造で形成されていることを特徴とする請求項１から３の何れか一つに記載のペット用トリミングハウス。
【請求項５】
前記容器の壁の少なくとも一部が取り外されて別の容器との間で人やペットが行き来可能に接続されることを特徴とする請求項１から３の何れか一つに記載のペット用トリミングハウス。
【請求項６】
前記容器の周囲に配される露台を備えていることを特徴とする請求項１から５の何れか一つに記載のペット用トリミングハウス。
【考案の詳細な説明】
【技術分野】
【０００１】
本考案は、ペット用トリミングハウスに関する。
【背景技術】
【０００２】
犬やネコ等のペットを飼育している人たちは、ホームセンターやショッピングセンター等の店舗施設に出かける際にペットを連れて行くことがある。そのため、大型の店舗施設内には、買い物客が買い物をしている間、ペットを一時的に預かるサービスや、預かるだけでなくトリミング等を行うための施設（例えば、特許文献１参照。）が設けられているところがある。
【先行技術文献】
【特許文献】
【０００３】
【特許文献１】特開２００４−０９７１０５号公報
【考案の概要】
【考案が解決しようとする課題】
【０００４】
しかしながら、中小規模の店舗施設では、このようなペット用の施設を設けるスペースがなく、また、あとから施設内に追加して設置しようとしても施工費が高いといった問題もある。
【０００５】
本考案は上記事情に鑑みて成されたものであり、既存の店舗施設を増築や改築しなくても低いコストで設置可能なペット用トリミングハウスを提供することを目的とする。
【課題を解決するための手段】
【０００６】
本考案は、上記課題を解決するため、以下の手段を採用する。
本考案に係るペット用トリミングハウスは、ペット及び人の出入りを許容する開口部が配された容器を備え、該容器内に、ペットの美容のために被毛を整える第一の部屋と、気流を含んだ噴流を吐出する噴出口が設けられたペット用の浴槽が配される第二の部屋と、  が配されていることを特徴とする。
【０００７】
この考案は、店舗施設の敷地に据置することによって、店舗施設そのものを増改築しなくても、ペットをトリミングしたり、入浴させたりする設備を容易に提供することができる。
【０００８】
また、本考案に係るペット用トリミングハウスは、前記ペット用トリミングハウスであって、前記開口部から離間して前記第一の部屋の出入口に配されてペットの出入りを規制する戸を備えていることを特徴とする。
【０００９】
この考案は、ペットが第一の部屋にいる間、ペットが第一の部屋から容器の開口部を通って容器外に急に飛び出してしまうのを好適に規制することができる。
【００１０】
また、本考案に係るペット用トリミングハウスは、前記ペット用トリミングハウスであって、前記容器の荷重を該容器の下部から支持し、地盤に伝える基礎構造物を備えていることを特徴とする。
【００１１】
この考案は、基礎構造物によって地盤に対して容器を安定して支持することができる。
【００１２】
また、本考案に係るペット用トリミングハウスは、前記ペット用トリミングハウスであって、前記容器が、上下に積層可能な構造で形成されていることを特徴とする。
【００１３】
この考案は、店舗施設の敷地が狭い場合には、容器を上下に積層することによって増床することができる。
【００１４】
また、本考案に係るペット用トリミングハウスは、前記ペット用トリミングハウスであって、前記容器の壁の少なくとも一部が取り外されて別の容器との間で人やペットが行き来可能に接続されることを特徴とする。
【００１５】
この考案は、店舗施設の敷地が十分広い場合には、複数の容器を隣接してより大きなグルーミング施設を提供することができる。
【００１６】
また、本考案に係るペット用トリミングハウスは、前記ペット用トリミングハウスであって、前記容器の周囲に配される露台を備えていることを特徴とする。
【００１７】
この考案は、露台の上を散歩させたり、露台の上でペットとともにくつろげたりできる場所を提供することができる。
【考案の効果】
【００１８】
本考案によれば、既存の店舗施設を増築や改築しなくても低いコストでペットをトリミングしたり、入浴させたりする設備を設置することができる。
【図面の簡単な説明】
【００１９】
【図１】本考案の一実施形態に係るペット用トリミングハウスを示す側面図である。
【図２】図１のII−II断面図である。
【考案を実施するための形態】
【００２０】
本考案に係る一実施形態について、図１から図３を参照して説明する。
本実施形態に係るペット用トリミングハウス１０は、ペット及び人を収容可能な金属製のコンテナ（容器）１１を備え、コンテナ１１が、エントランス１２と、トリミング室（第一の部屋）１３と、ジャグジー室（第二の部屋）１５と、ドッグバス室１６と、を備えている。
【００２１】
コンテナ１１は、貨物輸送に用いる直方体形状に規格化されて上下に積層可能な構造に形成されている。このコンテナ１１には、ペット及び人の出入りを許容する開口部１１ａが配され、この開口部１１ａに出入口戸１７が配されている。この出入口戸１７の内側にエントランス１２が配されている。
【００２２】
コンテナ１１のトリミング室１３側の壁には、複数の窓１１Ａが配されている。コンテナ１１は、開口部１１ａ以外の壁の少なくとも一部を開口して別の不図示のコンテナの不図示の開口部と接続することにより、ペット用トリミングハウス１０が拡張可能となっている。
【００２３】
トリミング室１３は、ペットの美容のために被毛を整える部屋とされ、ドライヤー１８やペットを乗せる台２０がそれぞれ複数配されている。エントランス１２とトリミング室１３との間には、戸１３Ａが配されている。この戸１３Ａは、エントランス１２とトリミング室１３とを仕切るとともに、ペットの出入りを規制できるように、例えば、上下に分離され、ペットの急な飛び出しを規制するために床側のみ閉鎖した状態で上側を開けて会話したり、ペットの引き渡しを行ったりすることができる構造となっている。
【００２４】
ジャグジー室１５には、気流を含んだ噴流を吐出する噴出口２１Ａが設けられたペット用の浴槽２１が配されている。ジャグジー室１５はトリミング室１３と隣接して配されているが、必ずしも隣接している必要はない。ジャグジー室１５には、トリミング室１３に入らなくてもエントランス１２から内部の様子を確認可能な窓２２が配されている。
【００２５】
ドッグバス室１６は、トリミング後のペットの体を洗う洗濯槽２３が配され、トリミング室１３に隣接して配されている。その他、コンテナ１１は、レジ２５などが配されるレジ室２６と、洗濯機２７が配される洗濯室２８とを備えている。
【００２６】
コンテナ１１の下部には、コンテナ１１の荷重を下部から支持し、地盤Ｇに伝える基礎構造物３０を備えている。この基礎構造物３０は、コンテナ１１全体の大きさや重さに応じて各種許認可に対応した構造となっている。
【００２７】
コンテナ１１への電気・ガス・上下水はコンテナ１１外から供給される。例えば、電気は不図示の店舗施設から分電され、ガスはコンテナ１１の周囲に配されたガス供給装置３１から供給され、上下水は、店舗施設から供給される。コンテナ１１の周囲には、人やペットがくつろげるウッドデッキ（露台）３２が配されていてもよい。
【００２８】
次に、本実施形態に係るペット用トリミングハウス１０の作用について説明する。
ペット同伴で不図示の店舗施設を訪れた買い物客が店舗施設で買い物をする際、ペットをコンテナ１１に連れていき、トリミング室１３でのトリミングを依頼する。預けられたペットはトリミング室１３にてトリミングされた後、ドッグバス室１６の洗濯槽２３にて洗浄され、ドライヤー１８にて乾燥される。
【００２９】
買い物から戻ってきた買い物客は、レジ２５で清算を済ませ、ペットを引き取る。その後、ウッドデッキ３２上で遊ばせてもよい。トリミングが不要な場合には、ジャグジー室１５にて沐浴させてもよい。この際、トリミング室１３に入室しなくてもエントランス１２からジャグジー室１５の窓２２を通して直接内部を確認できる。
【００３０】
このペット用トリミングハウス１０によれば、店舗施設の敷地に据置することによって、店舗施設そのものを増改築しなくても、ペットをトリミングしたり、入浴させたりする設備を容易に提供することができる。
【００３１】
また、ペットがトリミング室１３にいる間、ペットがトリミング室１３からコンテナ１１外に急に飛び出そうとしても戸１３Ａによって好適にこれを規制することができる。さらに、基礎構造物３０によって地盤Ｇに対してコンテナ１１を安定して支持することができ、建築基準法や建築物に係る許認可を満足した仕様にすることができる。
【００３２】
また、コンテナ１１同士を上下に積層したり、壁の少なくとも一部をさらに開口して他のコンテナの開口部と接続したりすることによって、人やペットが複数のコンテナ１１間を行き来可能に拡張することができる。
【００３３】
さらに、ウッドデッキ３２が配されることにより、この上を散歩させたり、飼い主がペットとともにくつろげたりできる場所を提供することができる。また、貨物輸送に用いる直方体形状に規格化されたコンテナ１１を利用することによって、上下に積層したり、横に接続したりすることができ、ペット用トリミングハウス１０の拡張を自由に行うことができる。
【００３４】
なお、本考案の技術範囲は上記実施の形態に限定されるものではなく、本考案の趣旨を逸脱しない範囲において種々の変更を加えることが可能である。
例えば、コンテナ１１は、直方体形状に規格化されたものとしているが、これに限らず、丸みを帯びた筒状の円筒形や、機体に合わせた逆台形の航空貨物用に規格化されたものでもよい。また、トリミング室１３とジャグジー室１５との出入口が別々に配されていても構わない。さらに、開口部は一つに限らず、複数配されていてもよい。
【符号の説明】
【００３５】
１０  ペット用トリミングハウス
１１  コンテナ（容器）
１１ａ  開口部
１３  トリミング室（第一の部屋）
１５  ジャグジー室（第二の部屋）
１７  戸
３０  基礎構造物
３２  ウッドデッキ（露台）
Ｇ  地盤
【図１】
0003193023.tif 000003
【図２】
0003193023.tif 000004